(57)【要約】  表示制御装置を大型化させずに、表示装置の移動状態に応じて画像データを表示させる。携帯端末（１〜３）は、自端末が移動状態および静止状態のいずれであるかを判定する状態判定回路（４０）と、状態判定回路（４０）により移動状態であると判定された場合に、上記静止状態と判定された場合よりも転送レートまたはリフレッシュレートを低下させる表示データ送信回路（１２）及び表示パネル駆動回路（２０）を備える。
2017145753.tif 000002
【特許請求の範囲】
【請求項１】
画像データを表示する表示装置が移動状態および静止状態のいずれであるかを判定する状態判定回路と、
上記状態判定回路の判定結果に応じて、上記画像データの上記表示装置への転送レートまたは上記画像データの上記表示装置でのリフレッシュレートを変更する表示レート変更回路と、
を備え、
上記表示レート変更回路は、
上記状態判定回路により上記表示装置が移動状態であると判定された場合に、上記静止状態と判定された場合よりも上記転送レートまたは上記リフレッシュレートを低下させることを特徴とする表示制御装置。
【請求項２】
上記状態判定回路は、上記移動状態における上記表示装置の移動の大きさを段階的に判定し、
上記表示レート変更回路は、上記表示装置の移動の大きさに応じて、上記転送レートまたは上記リフレッシュレートを変更することを特徴とする請求項１に記載の表示制御装置。
【請求項３】
上記画像データが動画であるか否かを検知する動画検知回路をさらに備え、
上記表示レート変更回路は、
上記状態判定回路の判定結果と、上記動画検知回路による検知結果とに応じて、上記転送レートまたは上記リフレッシュレートを変更することを特徴とする、請求項１または２に記載の表示制御装置。
【請求項４】
上記表示装置に表示させる画像データの特徴に応じて、上記表示装置のバックライトの輝度と表示する画像データの階調分布とを変化させるバックライト制御回路をさらに備え、
上記表示レート変更回路は、
上記バックライト制御回路によるバックライト制御が実行されているか否かに応じて、上記転送レートまたは上記リフレッシュレートを変更することを特徴とする、請求項１〜３のいずれか１項に記載の表示制御装置。
【請求項５】
画像データを表示する表示装置が移動状態および静止状態のいずれであるかを判定する状態判定ステップと、
上記状態判定ステップにより移動状態であると判定された場合に、上記静止状態と判定された場合よりも上記画像データの上記表示装置への転送レートまたは上記画像データの上記表示装置でのリフレッシュレートを低下させる表示レート変更ステップと、を含むことを特徴とする表示制御方法。
【請求項６】
コンピュータに、
画像データを表示する表示装置が移動状態および静止状態のいずれであるかを判定する状態判定手順と、
上記状態判定手順により移動状態であると判定された場合に、上記静止状態と判定された場合よりも上記画像データの上記表示装置への転送レートまたは上記画像データの上記表示装置でのリフレッシュレートを低下させる表示レート変更手順とを実行させるためのプログラム。
【発明の詳細な説明】
【技術分野】
【０００１】
本発明は、視聴環境に応じて表示装置に表示される画像の表示品質を変更する表示制御装置、表示制御方法及びプログラムに関する。
【背景技術】
【０００２】
最近、デジタル技術の進歩に伴い、例えば携帯型のコンテンツ再生装置が良く用いられている。このような携帯型コンテンツ再生装置においては、歩行時等、振動が多く、映像をきちんと見ることができるかどうかに関係なく同じように映像の再生処理を行っているのが一般的である。【０００３】
ところで、上記のような一般的な携帯型コンテンツ再生装置において、映像等をきちんと見られないような状況においても、必要以上のクオリティで映像コンテンツの再生を行うため、処理に要する消費電力が大きくなるという問題があった。【０００４】
そこで、歩行時等には高品質な映像を再生してもきちんと映像を見ることができず、高品質であってもあまり効果がないため、映像処理能力を落として映像処理部における必要な電力を抑えるコンテンツ再生装置が特許文献１に開示されている。【０００５】
特許文献１に開示されたコンテンツ再生装置では、同一内容の映像コンテンツを複数の異なるデータ形式で蓄積部に記憶しておき、検出した外部環境（歩行時等の振動が多い環境等）に応じて、複数の異なるデータ形式の中から適切なデータ形式を選択し、選択したデータ形式の映像コンテンツを再生している。例えば、検出した外部環境が歩行時等のように高品質な映像を再生してもきちんと映像を見ることができない環境であれば、高品質の映像コンテンツを再生する必要がない。そのような環境では、データ形式の一つであるビットレートの低い映像コンテンツを選択して再生することで映像処理部における必要な電力を抑えている。
【先行技術文献】
【特許文献】
【０００６】
【特許文献１】日本国公開特許公報「特開２００８−１００３０号」（２００８年１月１７日公開）
【発明の概要】
【発明が解決しようとする課題】
【０００７】
しかしながら、特許文献１に開示されたコンテンツ再生装置では、同一内容の映像コンテンツを複数の異なるデータ形式（ビットレート）で蓄積部に記憶させる必要がある。そのため、多数の映像コンテンツのビットレートを選択して出力することを可能にするには、それだけ多数の記憶領域が必要である。このように、コンテンツ再生装置には記憶容量の大きな蓄積部が必要となるため、コンテンツ再生装置が大型化するという問題があった。【０００８】
本発明は、前記の問題点に鑑みてなされたものであり、その目的は、表示制御装置を大型化させずに、表示装置が移動状態および静止状態のいずれであるかに応じて表示品質を変更する表示制御装置、表示制御方法及びプログラムを実現することにある。
【課題を解決するための手段】
【０００９】
上記の課題を解決するために、本発明の一態様に係る表示制御装置は、画像データを表示する表示装置が移動状態および静止状態のいずれであるかを判定する状態判定回路と、上記状態判定回路の判定結果に応じて、上記画像データの上記表示装置への転送レートまたは上記画像データの上記表示装置でのリフレッシュレートを変更する表示レート変更回路と、を備え、上記表示レート変更回路は、上記状態判定回路により上記表示装置が移動状態であると判定された場合に、上記静止状態と判定された場合よりも上記転送レートまたは上記リフレッシュレートを低下させることを特徴としている。
【発明の効果】
【００１０】
本発明の一態様によれば、表示制御装置を大型化させずに、表示装置が移動状態および静止状態のいずれであるかに応じて表示品質を変更することができる。
【図面の簡単な説明】
【００１１】
【図１】本発明の実施形態１に係る携帯端末の要部構成を示すブロック図である。
【図２】上記携帯端末における表示レート変更処理の流れの一例を示すフローチャートである。
【図３】上記携帯端末の表示データ送信回路が状態情報に応じて転送レートを変更した場合の、状態情報とリフレッシュレートの変化との関係を示す図である。
【図４】転送レートが一定であり、上記携帯端末の表示パネル駆動回路が状態情報に応じて自律的にリフレッシュレートを変更する場合の、状態情報とリフレッシュレートの変化との関係を示す図である。
【図５】図２に示す表示レート変更処理の流れの他の一例を示すフローチャートである。
【図６】本発明の実施形態２に係る携帯端末の要部構成を示すブロック図である。
【図７】上記携帯端末における表示レート変更処理の流れの一例を示すフローチャートである。
【図８】本発明の実施形態３に係る携帯端末の要部構成を示すブロック図である。
【図９】上記携帯端末における表示レート変更処理の流れの一例を示すフローチャートである。
【発明を実施するための形態】
【００１２】
〔実施形態１〕
以下、本発明の第１の実施形態について図１〜５を参照して説明する。まず始めに、本実施形態に係る携帯端末１の要部構成について、図１を用いて説明する。図１は、携帯端末１（表示システム）の要部構成を示すブロック図である。
【００１３】
（携帯端末１）
携帯端末１は、画像データを含む映像コンテンツを再生可能な端末である。携帯端末１は、表示装置としての表示パネル（表示装置）３０と、表示パネル３０の表示制御装置としてのホストプロセッサ１０、表示パネル駆動回路（リフレッシュレート変更回路）２０、および状態判定回路４０とを備えている。
【００１４】
表示パネル３０は、表示パネル駆動回路２０からの駆動信号に応じて駆動することにより画像を表示する表示装置である。本発明の一態様に係る表示パネル３０はリフレッシュレートが可変な表示装置である。
【００１５】
状態判定回路４０は、携帯端末１が移動状態および静止状態のいずれであるかを判定する回路である。ここで、「移動状態」とは、携帯端末１が移動している状態を意味する。より具体的に言えば、移動状態とは、例えば携帯端末１が規則的に小刻みに動いているような状態を含む。一方、「静止状態」とは、携帯端末１が移動していない（静止している）状態を意味する。
【００１６】
このように、携帯端末１が移動状態か静止状態かを判定することにより、携帯端末１に備えられた表示パネル３０が移動状態であるか静止状態であるかも分かる。つまり、携帯端末１の状態は当該携帯端末１に備えられた表示パネル３０の状態と等しいといえる。
【００１７】
具体的には、状態判定回路４０は、移動検出用のセンサとして例えばジャイロセンサや加速度センサにより携帯端末１の動き（移動）を信号として検出し、検出信号に基づき携帯端末１が移動状態であるか静止状態であるかを判定する。状態判定回路４０は、判定結果を示す情報（以下、状態情報）を所定の時間間隔でホストプロセッサ１０に通知する。なお、詳しくは後述するが、状態判定回路４０はホストプロセッサ１０ではなく表示パネル駆動回路２０に上記状態情報を通知してもよい。
【００１８】
ホストプロセッサ１０は、表示パネル３０に表示させる画像のデータ（表示データ）の供給元であり、当該表示データを所定の転送周波数で表示パネル駆動回路２０に送信する。ホストプロセッサ１０はより詳しくは、表示データ１１と、表示データ送信回路（転送レート決定回路）１２とを含む。
【００１９】
表示データ１１は、表示パネル３０に表示すべき画像のデータである。ホストプロセッサ１０は当該表示データを、携帯端末１の外部または内部の記憶部（図示せず）から読み出して取得してもよいし、携帯端末１の通信部（図示せず）によりインターネット等からダウンロードまたはストリーミングしてもよい。表示データ１１は、表示データ送信回路１２に送られる。
【００２０】
表示データ送信回路１２は、状態判定回路４０から状態情報を受信し、当該状態情報に応じた転送レート（転送頻度）で表示データ１１を表示パネル駆動回路２０に転送する。より具体的には、表示データ送信回路１２は、携帯端末１が移動状態である場合、携帯端末１が静止状態の場合よりも表示データ１１の転送レートを低下させる。
【００２１】
なお、表示データ送信回路１２は表示データ１１の転送方式をインタレース転送にしてもよいし、表示データ１１を圧縮して転送してもよい。このように、データ転送容量を削減した転送を行う場合、表示データ送信回路１２は表示パネル３０に表示データ１１が正常に表示されるようにするため、インタレース転送の有無や表示データ１１の圧縮の有無などを示す表示データ情報を、表示データ１１とともに表示パネル駆動回路２０に送信する。
【００２２】
表示パネル駆動回路２０は、表示データ送信回路１２が定める転送レートの間隔で表示データ１１を受信し、当該表示データ１１に基づいたパネル駆動信号（表示パネル３０のリフレッシュのための駆動信号）を生成し、表示パネル３０に供給する。すなわち、表示パネル駆動回路２０は、パネル駆動信号に応じたリフレッシュレートにより表示パネル３０をリフレッシュさせる。
【００２３】
なお、表示パネル駆動回路２０は表示データ送信回路１２から表示データ情報を受信していた場合、当該表示データ情報に従って受信した表示データ１１を加工（解凍など）してからパネル駆動信号を生成すればよい。
【００２４】
ここ以降では、上記転送レート、上記リフレッシュレートの何れかを表示レートとして説明する。なお、表示レートの変更には、（１）転送レートのみを変更する場合、（２）リフレッシュレートを変更する場合（リフレッシュレートのみを変更する場合と、転送レートの変更に連動して変更する場合も含む）を意味する。また、この表示レートの変更は、上記表示データ送信回路１２及び表示パネル駆動回路２０で構成される表示レート変更回路によって実現される。この表示レート変更回路による表示レートの変更処理について以下に説明する。
【００２５】
（表示レート変更処理の概要説明）
図２は、表示レート変更処理の流れ（表示制御方法）を示すフローチャートである。
【００２６】
携帯端末１の表示パネル３０が画像の表示を開始すると、状態判定回路４０は携帯端末１が移動状態であるか、静止状態であるかを判定する（Ｓ１０、状態判定ステップ）。判定結果を示す状態情報は、表示データ送信回路１２及び表示パネル駆動回路２０で構成される表示レート変更回路に送信される。表示レート変更回路は状態情報を受信すると、当該状態情報が示す携帯端末１の状態に応じて表示レートを変更する。具体的には、表示レート変更回路は、状態判定回路４０により携帯端末１が移動状態であると判定された場合（Ｓ１０でＹＥＳ）、表示レートを携帯端末１が静止状態である場合よりも低下させる（Ｓ１２、表示レート変更ステップ）。この場合、表示データ送信回路１２による転送レートの低下、表示パネル駆動回路２０によるリフレッシュレートの低下、あるいは転送レート及びリフレッシュレートの低下の何れかとなるため、携帯端末１が静止状態である場合よりも表示品質を低下させることができる。
【００２７】
一方、状態判定回路４０により携帯端末１が静止状態であると判定された場合（Ｓ１０でＮＯ）、表示レート変更回路は、静止状態の表示レートを変更させない（Ｓ１４）。この場合、表示データ送信回路１２による転送レート、表示パネル駆動回路２０によるリフレッシュレートは何れも携帯端末１が静止状態の状態が維持されるため、表示品質の低下は生じない。
【００２８】
（効果）
携帯端末１が移動状態の場合、すなわち、携帯端末１または携帯端末１を持つユーザが動いていて、表示パネル３０が見えにくいと推定される場合は、表示パネル３０に高精細な画像を表示してもユーザが当該画像を確実に認識することは難しい。換言すると、携帯端末１または携帯端末１を持つユーザが動いているときは、画像の表示品質を多少落としたとしても、ユーザは表示品質の劣化に気付きにくい。上述のように、表示レートのうち、例えばリフレッシュレート変更処理によると、携帯端末１のユーザがこのように品質劣化に気付きにくい状況下で表示パネル３０のリフレッシュレートを低下させることで、画像の表示に係る消費電力を削減することができるという効果を奏する。
【００２９】
次に、携帯端末１の状態に応じた表示レートの変更の一例として、リフレッシュレートの変更方法について、図３、および図４を参照しながら以下に説明する。
【００３０】
（リフレッシュレート変更方法）
図３は、表示データ送信回路１２が状態情報に応じて転送レートを変更した場合の、状態情報とリフレッシュレートの変化との関係を示す図である。なお、図３の「状態情報」行の「振動０」は携帯端末１が振動なしの状態（静止状態）であることを示し、「振動１」は、携帯端末１が振動有りの状態（移動状態）と判定された場合であることを示す。また、図３の例では、携帯端末１が静止状態のときは、１２０ｆｐｓ（flame per second）の転送レートで表示データ１１を転送することとする。
【００３１】
携帯端末１が「振動０」、すなわち静止状態である場合、表示データ送信回路１２は上述の通り１２０ｆｐｓで表示パネル駆動回路２０に表示データ１１を転送する。また、表示パネル駆動回路２０は転送レートと同調した周波数（１２０Ｈｚ）でパネル駆動信号を生成し、表示パネル３０をリフレッシュする。換言すると、表示パネル駆動回路２０は、表示パネル３０のリフレッシュレートを１２０Ｈｚとしている。
【００３２】
ここで携帯端末１が「振動０」から「振動１」になった（移動状態になった）場合、状態判定回路４０は当該状態を表示データ送信回路１２に通知し、表示データ送信回路１２は表示データ１１の転送レートを低下させる。例えば、図３の例のように、表示データ送信回路１２は転送レートを６０ｆｐｓまで低下させる。一方表示パネル駆動回路２０は、表示データ１１の転送レートと同間隔（６０Ｈｚ）でパネル駆動信号を生成する。換言すると、表示パネル駆動回路２０は、表示データ１１の転送レートと連動して表示パネル３０のリフレッシュレートを６０Ｈｚに低下させる。
【００３３】
一方、携帯端末１が「振動１」から「振動０」になった（静止状態になった）場合、静止状態を通知された表示データ送信回路１２は、表示データ１１の転送レートを１２０ｆｐｓに戻す。そして、これに連動して表示パネル駆動回路２０におけるリフレッシュレートも１２０Ｈｚに変更される。
【００３４】
なお、上記の説明では、振動の有る場合は、常にリフレッシュレートを下げる処理を行っているが、これに限定されるものではない。例えば振動の周期および大きさの両方あるいはいずれか一方がある値よりも大きくなると、表示画像が見にくくなっていると想定し、その場合にリフレッシュレートを下げる処理を行うようにしてもよい。これにより、不要な表示品質の低下をユーザに知覚させることを防止することができる。例えばユーザと携帯端末自体がほぼ同期して長い周期（低周波数）で移動しているような場合（例えばユーザが電車等の移動手段に乗っている場合）では、ユーザと同期した振動で表示品質を下げるとユーザは表示品質の低下を知覚してしまう。そこで、上記のある値を、ユーザが表示品質の低下を知覚できなくなる場合の振動の周期とすれば、振動周期がある値以上のようにユーザが表示品質の低下を知覚できる状態での表示画像の表示品質が下がるのを防止することができる。振動の大きさに関しても同様のことが言える。
【００３５】
また、図３に示すように、携帯端末１は、上述のように転送レートを変更することにより、間接的にリフレッシュレートを変更する以外に、表示データ１１の転送レートは一定としておき、表示パネル駆動回路２０自体がリフレッシュレートを自律的に変更することとしてもよい。この処理について以下の図４を参照しながら説明する。
【００３６】
（リフレッシュレート変更方法の他の例）
図４は、転送レートが一定であり、表示パネル駆動回路２０が状態情報に応じて自律的にリフレッシュレートを変更する場合の、状態情報とリフレッシュレートの変化との関係を示す図である。なお、図４の「状態情報」行の「振動０」および「振動１」の意味は図３と同義である。また、図４では、表示データ送信回路１２における表示データ１１の転送レートは常時１２０ｆｐｓであることとする。
【００３７】
表示パネル３０が画像を表示するとき、ホストプロセッサ１０の表示データ送信回路１２は、一定の転送レート（１２０ｆｐｓ）で表示パネル駆動回路２０に表示データ１１を転送する。ここで、携帯端末１が「振動０」から「振動１」になった場合、状態判定回路４０から「振動１」を示す状態情報を受信した表示パネル駆動回路２０は、リフレッシュレートを１２０Ｈｚよりも低下させる。例えば、図４の例のように、表示パネル駆動回路２０はリフレッシュレートを６０Ｈｚまで低下させ、６０Ｈｚでパネル駆動信号を生成し、表示パネル３０をリフレッシュする。なお、表示パネル駆動回路２０はリフレッシュレートを規定するのではなく、単に表示パネル３０のリフレッシュを間引き（通常時２回リフレッシュする所を１回にするなど）してもよい。そして、状態判定回路４０が「振動１」から「振動０」になると、「振動０」を示す状態情報を受信した表示パネル駆動回路２０はリフレッシュレートを１２０Ｈｚに戻す。
【００３８】
このように、状態判定回路４０が表示パネル駆動回路２０に状態情報を通知し、当該状態情報に応じて、表示パネル駆動回路２０が自律的にリフレッシュレートを変更する。これにより、転送レートは変更せずに、状態情報に応じてリフレッシュレートを変更することが可能である。したがって、携帯端末１が移動状態であるか静止状態であるかに応じてリフレッシュレートの変更をより容易に実現できる。また、図４に示す例の場合は、ホストプロセッサ１０は単に所定の転送レートで表示データ１１を転送するのみであるので、従来あるホストプロセッサをホストプロセッサ１０として用いることができるという利点が生じる。
【００３９】
なお、図３および図４における、転送レートおよびリフレッシュレートの低下割合は一例であり、本発明の一態様に係るリフレッシュレート変更処理における転送レートおよびリフレッシュレートの低下割合は表示パネル３０の特性等に応じて、適宜決定してよい。例えば、転送レートを１２０ｆｐｓから３０ｆｐｓに落としてもよいし、リフレッシュレートを１２０Ｈｚから１Ｈｚまで落としてもよい。
【００４０】
なお、図２では、状態判定回路４０は携帯端末１が移動状態であるか静止状態であるかに応じて表示レート（転送レート、リフレッシュレート）を変更する例を示した。しかしながら、これに限定されるものではなく、例えば、移動状態における携帯端末１（より詳しくは表示パネル３０）の移動の大きさを段階的に判定してもよい。そして、上記移動の大きさに応じて表示レートを変更してもよい。
【００４１】
なお、上記および以降に記載の「移動の大きさ」とは、携帯端末が移動する周期や移動量の大きさを表すものとする。
【００４２】
（表示レート変更処理の変形例）
図５は、表示レート変更処理の流れの他の一例を示すフローチャートである。なお、図中のＳ２４およびＳ２６に記載の「表示レートを低下させる」という処理については、表示レートの低下割合が、Ｓ２４＞Ｓ２６＞０（表示レート変更なし、Ｓ２８）であることとする。以降の図面においても、「表示レートを低下させる」という処理ブロックについては、語尾に付した数字が大きくなるほど、表示レートの低下割合が小さくなるものとする。
【００４３】
携帯端末１の表示パネル３０が画像の表示を開始すると、状態判定回路４０は携帯端末１の状態判定を開始する。なお、図５の例では、状態判定回路４０は３段階（移動大の状態、移動小の状態、ならびに静止状態）で移動の大きさを検出することとする。検出された移動状態は、表示データ送信回路１２及び表示パネル駆動回路２０で構成される表示レート変更回路に通知される。
【００４４】
状態判定回路４０は携帯端末１の移動の大きさを判定する（Ｓ２０およびＳ２２）。移動大の場合（Ｓ２０でＹＥＳ）、表示レート変更回路は、表示レートを携帯端末１が静止状態である場合よりも低く、且つ最も低下させる（Ｓ２４）。
【００４５】
一方、状態判定回路４０が移動小と判定した場合（Ｓ２０でＮＯかつＳ２２でＹＥＳ）、状態情報を受信した表示レート変更回路は、表示データ１１の表示レートをＳ２４よりも小さい割合で低下させる（Ｓ２６）。また、状態判定回路４０が静止状態と判定した場合（Ｓ２０でＮＯかつＳ２２でＮＯ）、状態情報を受信した表示レート変更回路は、表示データ１１の表示データを変更させない（Ｓ２８）。この場合、表示データ送信回路１２による転送レート、表示パネル駆動回路２０によるリフレッシュレートは何れも携帯端末１が静止状態の状態が維持されるため、表示品質の低下は生じない。
【００４６】
以上の処理によると、携帯端末１の移動の大きさに応じて段階的に表示レートを変更することができるため、表示品質の変化をより目立たなくすることができる。例えば、携帯端末１が大きく動いている場合、すなわち画像がより見づらく、表示品質の劣化もユーザにより知覚されにくい場合は表示レートを大きく低下させることで消費電力をより削減することができる。また、携帯端末１が動いてはいるが動きが小さい場合、すなわち大きく動いている場合に比べ表示品質の劣化がユーザに知覚され易い場合は、表示レートの低下の割合を抑えることにより、消費電力の低下と、ユーザの知覚する表示品質との両立を図ることができる。
【００４７】
上記の移動の大きさの段階数、表示レートの段階数は任意に設定してもよい。この場合、移動を無段階に検出して、表示レートを連続的に変更することも可能である。
【００４８】
図５に示す表示レート変更処理において、表示レートを下げる処理は、図３に示すように、転送レートを下げて、これに連動するようにリフレッシュレートを下げるようにしてもよい。また、図４に示すように、転送レートを下げずに一定にして、リフレッシュレートのみを下げるようにしてもよい。
【００４９】
ここで、リフレッシュレートのみ下げる処理は、通常のプロセッサの表示処理を変更する必要が無いという点で、実現が簡単である。従って、携帯端末における消費電力の内、プロセッサの表示処理に関する電力が少ないもの、言い換えれば、プロセッサの表示処理が、比較的軽いシステム（単純な携帯端末等）に適している。
【００５０】
一方、昨今の高解像度の表示デバイスを持つスマートフォン等の携帯端末は、プロセッサの表示処理の消費電力がとても大きく、端末自体の電池持ちに関して、多大な影響を及ぼす。このような複雑な端末は、可能な限り、転送レート自体も下げる処理が望ましい。つまり、転送レートを下げれば、プロセッサ内部の、画像処理に関する他の部分（表示データ送信回路１２だけでない回路、例えばメモリ、ビデオデコーダ、ＤＭＡ等）の消費電力自体も一緒に下がる。
【００５１】
〔実施形態２〕
本発明に係る携帯端末は、表示データ１１が動画であるか否かを検知し、当該検知結果に応じて表示レートの低下割合を決定してもよい。以下、本発明の第２の実施形態について図６〜７を用いて説明する。なお、説明の便宜上、前記実施形態にて説明した部材と同じ機能を有する部材については、同じ符号を付記し、その説明を省略する。以下の各実施形態でも同様である。また、本実施形態では、実施形態１で図３を用いて説明したように、表示データ送信回路１２が表示データ１１の転送レートを変更することで、間接的にリフレッシュレートを変更する表示レート変更方法について説明する。しかしながら、本実施形態に係る携帯端末２においても、実施形態１で図４を用いて説明したように、表示パネル駆動回路２０が自律的にリフレッシュレートを変更することとしてもよい。これは、以下の各実施形態についても同様である。
【００５２】
（携帯端末）
図６は、本実施形態に係る携帯端末２の要部構成を示すブロック図である。携帯端末２は、ホストプロセッサ５０を設ける点において、携帯端末１と異なっている。
【００５３】
ホストプロセッサ５０は、表示データ１１と動画検知回路５１と、表示データ送信回路（転送レート決定回路）５２とを含む。動画検知回路５１は、表示データ１１が動画であるか否かを検知する回路である。動画検知回路５１は、表示データ送信回路５２が転送する表示データ１１が動画であるか否かを検出し、検出結果を動画検知情報として表示データ送信回路５２に通知する。なお、動画検知回路５１は表示データ１１が動画である場合のみ動画検知情報を表示データ送信回路５２に送信してもよい。
【００５４】
表示データ送信回路５２は、動画検知情報と、状態情報とから、表示データ１１の転送レートを決定し、当該転送レートで表示データ１１を表示パネル駆動回路２０に送信する。具体的には、表示データ送信回路５２は、動画検知情報を参照し、表示データ１１が動画である場合は、動画でない場合に比べて表示データ１１の転送レートの低下割合を大きくする。また、表示データ送信回路５２は、動画検知情報を参照し、表示データ１１が動画である場合は、携帯端末２が静止状態であっても表示データ１１の転送レートを低下させてもよい。
【００５５】
なお、表示パネル駆動回路２０が自律的にリフレッシュレートを決定する場合、表示データ送信回路５２は表示パネル駆動回路２０に対し動画検知情報を送信し、表示パネル駆動回路２０が動画検知情報と状態情報とからリフレッシュレートを決定すればよい。リフレッシュレートの決定に係る判定は、上述した転送レートの決定に係る判定と同様である。
【００５６】
このように、表示データが 動画の場合（後述するＣＡＢＣの制御の場合も）は、表示レートを下げる場合、リフレッシュレートを下げるというよりは、動画の圧縮率を上げて、すなわち動画の一枚一枚の品質を下げて総合的にデータ量を減らして、パネル駆動回路２０に転送することを示す。ここで、転送レートは転送量／時間と定義する。従って、総合的にデータ量を減らすことで、転送レートが下がる。以下、動画検知を考慮した表示レート変更処理について説明する。
【００５７】
（表示レート変更処理の概要説明）
図７は、携帯端末２における表示レート変更処理の流れの一例を示すフローチャートである。携帯端末２の表示パネル３０が表示データ１１の表示を開始すると、状態判定回路４０は携帯端末２の状態判定を開始する。また、動画検知回路５１は表示データ１１が動画であるか否かを検出し、動画検知情報として表示データ送信回路５２に通知する。なお、図７の例でも図５の例と同様、状態判定回路４０は３段階（移動大、移動小、移動無し）で移動の有無および大きさを判定することとする。
【００５８】
表示データ送信回路５２及び表示パネル駆動回路２０で構成される表示レート変更回路は状態情報および動画検知情報を受信する。状態情報が示す移動の大きさが移動大である場合（Ｓ３０でＹＥＳ）、表示データ送信回路５２は動画検知情報から表示データ１１が動画であるか否かを確認する（Ｓ３４）。状態情報が示す移動の大きさが移動小である場合（Ｓ３０でＮＯかつＳ３２でＹＥＳ）、状態情報が静止状態を示す場合（Ｓ３０でＮＯかつＳ３２でＮＯ）も、同様に動画検知情報から表示データ１１が動画であるか否かを確認する（Ｓ３６およびＳ３８）。そして、表示レート変更回路は、携帯端末２の移動の大きさおよび表示データ１１が動画であるか否かの２つの条件から、表示レートを決定する。
【００５９】
具体的には、表示レート変更回路は、携帯端末２の移動が大であり、かつ表示データ１１が動画である場合（Ｓ３０でＹＥＳかつＳ３４でＹＥＳ）、表示レートを最も大幅に低下させる（Ｓ４０）。一方、表示レート変更回路は、携帯端末２の移動が大であるが、表示データ１１が動画でない場合（Ｓ３０でＹＥＳかつＳ３４でＮＯ）の場合、Ｓ４０に次ぐ割合で表示レートを低下させる（Ｓ４２）。携帯端末２の移動小である場合も同様に、表示レート変更回路は、携帯端末２の移動の大きさが同じであるときは、表示データ１１が動画である場合（Ｓ３６でＹＥＳ）に、表示データ１１が動画でない場合（Ｓ３６でＮＯ）よりも大幅に表示レートを低下させる（Ｓ４４および４６）。
【００６０】
さらに、携帯端末２が静止状態の場合（Ｓ３０でＮＯかつＳ３２でＮＯ）、表示レート変更回路は、表示データ１１が動画である場合（Ｓ３８でＹＥＳ）、表示レートを低下させる（Ｓ４８）。一方、携帯端末２が静止状態で、かつ表示データ１１が動画でない場合（Ｓ３８ＮＯ）、表示レート変更回路はリフレッシュレートを変更させない（Ｓ５０）。この場合、表示データ送信回路１２による転送レート、表示パネル駆動回路２０によるリフレッシュレートは何れも携帯端末１が静止状態の状態が維持されるため、表示品質の低下は生じない。
【００６１】
（効果）
表示データ１１が動画である場合、静止画に比べユーザは各画像（動画の１フレームにあたる画像）を詳細に認識することは難しい。換言すると、画像データの表示品質を多少低下させたところで、そのことはユーザに知覚されにくいといえる。例えば、一枚一枚のオリジナル画像データサイズがＦＨＤだったとしても、動画連続視聴なら、ＨＤサイズに落としても、知覚されにくい。そのため、上述の表示レート変更処理によると、携帯端末２は、表示データ１１が動画である場合に、動画でない場合に比べより表示レートを低下させる。これにより、動画の表示品質の低下がユーザに知覚され難い状況下で、より消費電力を削減させることができるという効果を奏する。
【００６２】
また、動画の場合、表示レートを低下させることは、動画の圧縮率を上げて転送するデータ量を減らすことになるので、データ転送にかかる消費電力を削減することができる。つまり、動画の場合、プロセッサ内部の、画像処理に関する他の部分(例えばメモリ、ビデオデコーダ、ＤＭＡ等)の消費電力も、より削減することができる。
【００６３】
〔実施形態３〕
本発明に係る携帯端末はさらに、バックライト制御としてＣＡＢＣ（Contents Adaptive Backlight Control）を適用中か否かに応じて表示レートの低下割合を決定してもよい。以下、本発明の第３の実施形態について、図８〜９を用いて説明する。
【００６４】
（携帯端末）
図８は、本実施形態に係る携帯端末３の要部構成を示すブロック図である。携帯端末３は、ホストプロセッサ６０とバックライト７０とを含んでいる。
【００６５】
ホストプロセッサ６０は、ホストプロセッサ５０にＣＡＢＣ制御回路（バックライト制御回路）６１を追加し、表示データ送信回路（転送レート決定回路）５２を、表示データ送信回路（転送レート決定回路）６２に変更した構成である。以下、当該追加・変更した構成について説明する。なお、表示データ送信回路６２については、表示データ送信回路５２との相違点についてのみ説明する。
【００６６】
ＣＡＢＣ制御回路６１は、表示データ送信回路６２が転送する表示データ１１の最大輝度値が、表示パネル３０が表現できる最大輝度値になるように、表示データ１１を変換する（表示データ１１の階調分布を正規化する）回路である。ＣＡＢＣ制御回路６１は、表示データ送信回路６２が取得した表示データ１１を受け取り、正規化して表示データ送信回路６２に返す。本実施形態において表示データ送信回路６２は、この正規化された表示データ１１を、表示パネル駆動回路２０に転送する。
【００６７】
バックライト７０は、表示パネル３０のバックライトであり、ＣＡＢＣ制御回路６１から受信するＣＡＢＣ制御情報に応じて輝度を変更する。
【００６８】
表示データ送信回路６２は、動画検知情報と、ＣＡＢＣ制御回路６１から受信した、ＣＡＢＣ適用中であるか否かを示す情報と、状態情報とから、表示データ１１の転送レートを決定し、当該転送レートで表示データ１１を表示パネル駆動回路２０に送信する。
【００６９】
なお、表示パネル駆動回路２０が自律的にリフレッシュレートを決定する場合、表示データ送信回路５２は表示パネル駆動回路２０に対し動画検知情報と、ＣＡＢＣ適用中であるか否かを示す情報とを送信し、表示パネル駆動回路２０が動画検知情報と、ＣＡＢＣ適用中であるか否かを示す情報と、状態情報とからリフレッシュレートを決定すればよい。以下、ＣＡＢＣ制御を考慮した表示レート変更処理について説明する。
【００７０】
（表示レート変更処理の概要説明）
図９は、携帯端末３における表示レート変更処理の流れの一例を示すフローチャートである。なお、図９のＳ１２４以降の処理は、図７に示すフローチャートと同様であるので、説明を省略する。また、図９のＳ１０２〜１２０の処理も、図７のＳ３０〜Ｓ４８の処理と同様であるため、説明を省略する。
【００７１】
本実施形態に係る表示レート変更処理では、携帯端末３の表示パネル３０が表示データ１１の表示を開始すると、ＣＡＢＣ制御回路６１、表示データ送信回路６２に対しＣＡＢＣを適用中であるか否かを示す情報を通知する。表示データ送信回路６２及び表示パネル駆動回路２０で構成される表示レート変更回路は当該通知を参照し、ＣＡＢＣが適用中の場合（Ｓ１００でＹＥＳ）、ＣＡＢＣが適用中でない場合（Ｓ１００でＮＯ）に比べ大幅にリ表示レートを低下させる（Ｓ１１２〜１２２）。さらに、ＣＡＢＣが適用中の場合（Ｓ１００でＹＥＳ）、携帯端末３が静止状態であり（Ｓ１０２でＮＯかつＳ１０４でＮＯ）、表示データ１１が動画でない場合（Ｓ１１０でＮＯ）でも、表示データ送信回路６２は表示レートを低下させる（Ｓ１２２）。
【００７２】
（効果）
一般的に、表示パネル３０にＣＡＢＣを適用している時は、バックライト７０の輝度を低下させることができるので消費電力は下がるが、表示データ１１の正規化により表示品質も低下する。したがって、ＣＡＢＣを適用させている場合というのは、多少表示品質が低下したとしても、視聴に影響の無い状況である、またはユーザが視聴において表示品質を重要視していない状況であるといえる。したがって、上述の表示レート変更処理のように、ＣＡＢＣ適用時に、より表示レートを低下させることとすることで、表示データ１１の表示品質の低下が問題にならない状況下で、より消費電力を削減することができるという効果を奏する。
【００７３】
なお、前記実施形態１〜３では、表示レートを低下させる例として、転送レートを下げて、リフレッシュレートを下げる例と、転送レートを下げずに一定にして、リフレッシュレートを下げる例について説明しているが、これらに限定されるものではない。例えば、リフレッシュレートを下げずに一定にして、転送レートのみを下げるようにしてもよい。この場合、特に、表示パネル３０側においてリフレッシュレートを下げることができない場合（一般的な液晶表示パネルでの最低リフレッシュレートは６０ｆｐｓであり、これ以上下げるとチラツキなどが発生し、表示品質が低下する。）に、転送レートのみを低下させることで、液晶表示パネルの表示品質を低下させることができるため、有効である。
【００７４】
〔ソフトウェアによる実現例〕
携帯端末１〜３の制御ブロック（特に表示データ送信回路１２、５２、および６２、動画検知回路５１、ならびにＣＡＢＣ制御回路６１）は、集積回路（ＩＣチップ）等に形成された論理回路（ハードウェア）によって実現してもよいし、ＣＰＵ（Central Processing Unit）を用いてソフトウェアによって実現してもよい。
【００７５】
後者の場合、携帯端末１〜３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７６】
〔まとめ〕
本発明の態様１に係る表示制御装置（ホストプロセッサ１０、５０、６０）は、画像データ（表示データ１１）を表示する表示装置（表示パネル３０）が移動状態および静止状態のいずれであるかを判定する状態判定回路４０と、上記状態判定回路の判定結果に応じて、上記画像データの上記表示装置への転送レートまたは上記画像データの上記表示装置でのリフレッシュレートを変更する表示レート変更回路（表示データ送信回路１２、５２、６２、表示パネル駆動回路２０）と、を備え、上記表示レート変更回路（表示データ送信回路１２、５２、６２、表示パネル駆動回路２０）は、上記状態判定回路４０により上記表示装置（表示パネル３０）が移動状態であると判定された場合に、上記静止状態と判定された場合よりも上記転送レートまたは上記リフレッシュレートを低下させることを特徴としている。
【００７７】
上記構成によれば、表示装置が移動状態の場合、すなわち、表示装置自体または表示装置を持つユーザが動いていて、表示装置に表示した画像が見えにくいと推定される場合は、表示装置に高精細な画像を表示してもユーザが当該画像を確実に認識することは難しい。換言すると、画像の表示品質を多少落としたとしても、ユーザは表示品質の劣化に気付きにくい。
【００７８】
したがって、上記の構成によると、表示装置が移動状態の場合に、静止状態と判定された場合よりも画像データの表示装置への転送レートまたは画像データの表示装置でのリフレッシュレートを低下させれば、ユーザが表示品質の劣化に気付きにくいような表示装置の使用環境下において、画像の表示に係る消費電力を削減することができる。したがって、ユーザが当該画像データを視認するのに影響を及ぼさない程度の表示品質を確保することと、消費電力の削減とを両立させることができる。
【００７９】
しかも、画像データの表示転送レートまたは画像データの表示装置でのリフレッシュレートをリアルタイムに変更するため、複数の転送レートまたは複数のリフレッシュレートで表示する場合の画像データを予め記憶しておく必要がない。そのため、画像データを記憶する記憶部の容量が少なくて済む。したがって、記憶部の容量増加に伴う装置の大型化を招くことを防ぎつつ、画像データを表示装置の使用環境に応じた転送レートまたはリフレッシュレートで表示させることができるという効果を奏する。
【００８０】
本発明の態様２に係る表示制御装置は、上記態様１において、上記状態判定回路は、上記移動状態における上記表示装置の移動の大きさを段階的に判定し、上記表示レート変更回路は、上記表示装置の移動の大きさに応じて、上記転送レートまたは上記リフレッシュレートを変更することを特徴としている。
【００８１】
上記の構成によれば、表示装置の移動の大きさに応じて段階的に転送レートまたはリフレッシュレートを変更することができるため、表示品質の変化をより目立たなくすることができる。例えば、表示装置が大きく動いている場合、すなわち画像がより見づらく、表示品質の劣化もユーザにより知覚されにくい場合は転送レートまたはリフレッシュレートを大きく低下させることで消費電力をより削減することができる。また例えば、表示装置が動いてはいるが動きが小さい場合、すなわち大きく動いている場合に比べ表示品質の劣化がユーザに知覚され易い場合は、転送レートまたはリフレッシュレートの低下の割合を抑えることにより、消費電力の低下と、ユーザの知覚する表示品質との両立を図ることができる。
【００８２】
本発明の態様３に係る表示制御装置は、上記態様１または２のいずれか一態様において、上記画像データが動画であるか否かを検知する動画検知回路（動画検知回路５１）をさらに備え、上記表示レート変更回路は、上記状態判定回路の判定結果と、上記動画検知回路による検知結果とに応じて、上記転送レートまたは上記リフレッシュレートを変更することを特徴としている。
【００８３】
画像データが動画である場合、静止画である場合に比べて、ユーザは各画像（動画の１フレームにあたる画像）を詳細に認識することは難しい。換言すると、画像データの表示品質を多少低下させたところで、そのことはユーザに知覚されにくいといえる。そのため、上記の構成によると、画像データが動画であるか否かに応じて転送レートまたはリフレッシュレートを変更することにより、表示品質の低下と消費電力の削減とを両立させることができるという効果を奏する。
【００８４】
本発明の態様４に係る表示制御装置は、上記態様１〜３のいずれか一態様において、上記表示装置に表示させる画像データの特徴に応じて、上記表示装置のバックライトの輝度と表示する画像データの階調分布とを変化させるバックライト制御回路（ＣＡＢＣ制御回路６１）をさらに備え、上記表示レート変更回路は、上記バックライト制御回路によるバックライト制御が実行されているか否かに応じて、上記転送レートまたは上記リフレッシュレートを変更することを特徴としている。
【００８５】
一般的に、表示パネル３０にバックライト制御（ＣＡＢＣ）を適用している時は、消費電力は下がるが、画像データの階調分布を変化させる（正規化）ことにより表示品質も低下する。したがって、バックライト制御が実行されている場合というのは、画像データの表示品質が多少低下したとしても視聴に影響の無い状況である、またはユーザが視聴において表示品質を重要視していない状況であるといえる。
【００８６】
したがって、上記の構成によると、バックライト制御が実行される場合に、転送レートまたはリフレッシュレートをより変化させることで、画像データの表示品質の低下が問題にならない状況下で、より消費電力を削減することができる。
【００８７】
本発明の態様５に係る表示システム（携帯端末１、２、または３）は、上記態様１〜４のいずれか１態様に記載の表示制御装置と、上記表示制御装置からの制御に従って画像データを表示する表示装置（表示パネル３０）とを含むことを特徴している。上記の構成によれば、態様１〜４に係る表示制御装置と同様の効果を奏する。
【００８８】
本発明の態様６に係る表示制御方法は、画像データを表示する表示装置が移動状態および静止状態のいずれであるかを判定する状態判定ステップ（Ｓ１０）と、上記状態判定ステップにより移動状態であると判定された場合に、上記静止状態と判定された場合よりも上記画像データの上記表示装置への転送レートまたは上記画像データの上記表示装置でのリフレッシュレートを低下させる表示レート変更ステップ（Ｓ１２）と、を含むことを特徴としている。上記の構成によれば、態様１に係る表示制御装置と同様の効果を奏する。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９０】
１、２、３  携帯端末（表示システム）、１０、５０、６０  ホストプロセッサ、１２、５２、６２（表示制御装置）  表示データ送信回路（転送レート決定回路、表示レート変更回路）、２０  表示パネル駆動回路（リフレッシュレート変更回路、表示レート変更回路）、３０  表示パネル（表示装置）、４０  状態判定回路、５１  動画検知回路、６１  ＣＡＢＣ制御回路（バックライト制御回路）
【図１】
2017145753.tif 000003
【図２】
2017145753.tif 000004
【図３】
2017145753.tif 000005
【図４】
2017145753.tif 000006
【図５】
2017145753.tif 000007
【図６】
2017145753.tif 000008
【図７】
2017145753.tif 000009
【図８】
2017145753.tif 000010
【図９】
2017145753.tif 000011
【国際調査報告】
2017145753.tif 000012
2017145753.tif 000013